(57)【要約】【課題】  複数の音声認識システムを用いる場合であっても、認識用辞書を容易にダウンロードし使用することができるようにする。【解決手段】  ＲＦＩＤタグ２０２，３０２を含む辞書タグ２０１，３０１を用意し、ＲＦＩＤタグ２０２，３０２に認識用辞書を特定するための認識辞書ＩＤを予め記憶させる。音声認識システム１００の情報読込部１０２は、ユーザによってセットされた辞書タグ２０１，３０１から認識用辞書ＩＤを読み込む。また、音声認識システム１００の制御部１０４は、読み込んだ認識用辞書ＩＤを辞書配信サーバ１０８に送信する。すると、辞書配信サーバ１０８は、対応する認識用辞書を抽出し、通信ネットワーク５００を介して音声認識システム１００に配信する。そして、音声認識システムの音声認識部１０５は、受信した認識用辞書を用いて、入力音声を音声認識する。【選択図】  図１
2006276460.tif 000002
【特許請求の範囲】
【請求項１】
音声認識に用いる認識用辞書を配信する音声認識用辞書配信システムであって、
音声認識を行う複数の音声認識システムと、
認識用辞書を配信する音声認識用辞書配信サーバとを備え、
前記音声認識システムは、認識用辞書を特定するための辞書特定情報を予め記憶する情報記憶手段から、前記辞書特定情報を読み込む情報読込手段を含み、
前記音声認識用辞書配信サーバは、
前記音声認識システムが情報記憶手段から読み込んだ辞書特定情報に基づいて、認識用辞書を抽出する辞書抽出手段と、
前記辞書抽出手段が抽出した認識用辞書を、通信ネットワークを介して前記音声認識システムに送信する辞書配信手段とを含む
ことを特徴とする音声認識用辞書配信システム。
【請求項２】
音声認識システムは、前記情報読込手段が読み込んだ辞書特定情報を、通信ネットワークを介して音声認識用辞書配信サーバに送信する情報送信手段を含み、
辞書抽出手段は、前記音声認識システムから受信した辞書特定情報に基づいて、認識用辞書を抽出する
請求項１記載の音声認識用辞書配信システム。
【請求項３】
音声認識用辞書配信サーバは、複数の認識用辞書を辞書特定情報に対応付けて予め蓄積する辞書蓄積手段を含み、
辞書抽出手段は、音声認識システムが情報記憶手段から読み込んだ辞書特定情報に対応する認識用辞書を、前記辞書蓄積手段から抽出する
請求項１又は請求項２記載の音声認識用辞書配信システム。
【請求項４】
音声認識システムは、
音声を入力する音声入力手段と、
音声認識用辞書配信サーバから受信した認識用辞書を用いて、前記音声入力手段が入力した入力音声を音声認識する音声認識手段とを含み、
前記音声認識手段は、認識用辞書を随時切り替えて用いることによって、前記入力音声を音声認識する
請求項１から請求項３のうちのいずれか１項に記載の音声認識用辞書配信システム。
【請求項５】
情報読込手段は、情報記憶手段としてＲＦＩＤタグから辞書特定情報を読み込む請求項１から請求項４のうちのいずれか１項に記載の音声認識用辞書配信システム。
【請求項６】
情報読込手段は、ＲＦＩＤリーダである請求項５記載の音声認識用辞書配信システム。
【請求項７】
音声認識を行う音声認識システムが情報記憶手段から読み込んだ、音声認識に用いる認識用辞書を特定するための辞書特定情報に基づいて、音声認識に用いる認識用辞書を配信する音声認識用辞書配信サーバであって、
複数の認識用辞書を辞書特定情報に対応付けて予め蓄積する辞書蓄積手段と、
前記音声認識システムから、通信ネットワークを介して辞書特定情報を受信する情報受信手段と、
前記情報受信手段が受信した辞書特定情報に対応する認識用辞書を、前記辞書蓄積手段から抽出する辞書抽出手段と、
前記辞書抽出手段が抽出した認識用辞書を、通信ネットワークを介して前記音声認識システムに送信する辞書配信手段とを備えた
ことを特徴とする音声認識用辞書配信サーバ。
【請求項８】
音声認識に用いる認識用辞書を配信する音声認識用辞書配信システムにおける、音声認識を行う音声認識システムであって、
認識用辞書を特定するための辞書特定情報を予め記憶する情報記憶手段から、前記辞書特定情報を読み込む情報読込手段と、
前記情報読込手段が読み込んだ辞書特定情報を、通信ネットワークを介して、認識用辞書を配信する音声認識用辞書配信サーバに送信する情報送信手段と、
前記音声認識用辞書配信サーバから、通信ネットワークを介して認識用辞書を受信する辞書受信手段と、
前記辞書受信手段が受信した認識用辞書を用いて、入力音声を音声認識する音声認識手段とを備え、
前記音声認識手段は、認識用辞書を随時切り替えて用いることによって、前記入力音声を音声認識する
ことを特徴とする音声認識システム。
【請求項９】
音声認識に用いる認識用辞書を配信する音声認識用辞書配信方法であって、
音声認識を行う音声認識システムが、認識用辞書を特定するための辞書特定情報を予め記憶する情報記憶手段から、前記辞書特定情報を読み込むステップと、
前記音声認識システムが、前記読み込んだ辞書特定情報を、通信ネットワークを介して、認識用辞書を配信する音声認識用辞書配信サーバに送信するステップと、
前記音声認識用辞書配信サーバが、前記音声認識システムから、通信ネットワークを介して辞書特定情報を受信するステップと、
前記音声認識用辞書配信サーバが、前記受信した辞書特定情報に基づいて、認識用辞書を抽出するステップと、
前記音声認識用辞書配信サーバが、前記抽出した認識用辞書を、通信ネットワークを介して前記音声認識システムに送信するステップとを含む
ことを特徴とする音声認識用辞書配信方法。
【請求項１０】
音声認識を行う音声認識システムが情報記憶手段から読み込んだ、認識用辞書を特定するための辞書特定情報に基づいて、音声認識に用いる認識用辞書を配信するための音声認識用辞書配信プログラムであって、
複数の認識用辞書を辞書特定情報に対応付けて予め蓄積する辞書蓄積手段を備えたコンピュータに、
前記音声認識システムから、通信ネットワークを介して辞書特定情報を受信する処理と、
前記受信した辞書特定情報に対応する認識用辞書を、前記辞書蓄積手段から抽出する処理と、
前記抽出した認識用辞書を、通信ネットワークを介して前記音声認識システムに送信する処理とを
実行させる音声認識用辞書配信プログラム。
【発明の詳細な説明】
【技術分野】
【０００１】
本発明は、音声認識に用いる認識用辞書を配信する音声認識用辞書配信サービスを提供するための音声認識用辞書配信システム、音声認識用辞書配信方法及び音声認識用辞書配信プログラムに関し、特にサーバから容易に認識用辞書をダウンロードできる音声認識用辞書配信システム、音声認識用辞書配信方法及び音声認識用辞書配信プログラムに関する。また、本発明は、認識用辞書を配信する音声認識用辞書配信サーバに関する。また、本発明は、音声認識を行う音声認識システムに関する。
【背景技術】
【０００２】
各種作業現場において、音声認識技術を用いた装置やシステム（以下、音声認識システムという）が作業者の入力手段として用いられている。例えば、工場や倉庫等で手作業（例えば、検品作業や組み立て作業）のためにキー入力操作を行えない作業者が、音声認識システムを用いて音声入力を行うことによって、設備の制御やデータ入力をすることが行われている。
【０００３】
音声認識システムを用いる場合、単語のつながり方の定義を示す文法情報や各単語の読みを含む認識用辞書を、認識対象語彙毎に予め用意する必要がある。例えば、計算機で読み込み可能なファイルとして予め認識対象語彙毎に認識用辞書を用意する必要がある。
【０００４】
また、例えば、特許文献１には、ホストコンピュータから音響データを含む音声辞書をダウンロードし、ダウンロードした音声辞書を用いて音声認識を行う音声認識システムが記載されている。
【０００５】
【特許文献１】特開２００４−３５４７１１号公報（段落００１８−００４８、図１−５）
【発明の開示】
【発明が解決しようとする課題】
【０００６】
工場や倉庫等の作業現場では、離れた複数の場所でそれぞれ音声認識システムを用いて、設備の制御やデータ入力を行いたい場合がある。この場合、移動する毎に認識用辞書を持ち運び、音声認識システム毎に認識用辞書を読み込ませていたのでは作業負担が大きい。また、認識対象の語彙数が多い場合には複数の認識用辞書を持ち運ばなければならず、全ての認識用辞書データを持ち歩くのは困難である。また、連続音声認識における言い回し等が多い場合には認識用辞書自体が大きくなり、全ての認識用辞書データを持ち歩くのは困難である。
【０００７】
また、特許文献１に記載された音声認識システムによれば、性別や年齢別、地域別にユーザに適切な音声辞書をダウンロードし、音声認識を行うことができる。しかし、認識対象の語彙に応じた認識用辞書をダウンロードすることは開示されておらず、複数の音声認識システムを用いる場合に、適切な認識用辞書を容易にダウンロードして音声認識を行えるとは限らない。また、認識対象の語彙毎に認識用辞書を随時切り替えて用いて適切な音声認識を行えるとは限らない。
【０００８】
そこで、本発明は、複数の音声認識システムを用いる場合であっても、認識用辞書を容易にダウンロードし使用することができる音声認識用辞書配信システム、音声認識用辞書配信サーバ、音声認識システム、音声認識用辞書配信方法及び音声認識用辞書配信プログラムを提供することを目的とする。
【課題を解決するための手段】
【０００９】
本発明による音声認識用辞書配信システムは、音声認識に用いる認識用辞書を配信する音声認識用辞書配信システムであって、音声認識を行う複数の音声認識システムと、認識用辞書を配信する音声認識用辞書配信サーバ（例えば、辞書配信サーバ１０８によって実現される）とを備え、音声認識システムは、認識用辞書を特定するための辞書特定情報（例えば、認識用辞書ＩＤ）を予め記憶する情報記憶手段（例えば、ＲＦＩＤタグ２０２，３０２）から、辞書特定情報を読み込む情報読込手段（例えば、情報読込部１０２によって実現される）を含み、音声認識用辞書配信サーバは、音声認識システムが情報記憶手段から読み込んだ辞書特定情報に基づいて、認識用辞書を抽出する辞書抽出手段（例えば、認識用辞書抽出手段８２によって実現される）と、辞書抽出手段が抽出した認識用辞書を、通信ネットワークを介して音声認識システムに送信する辞書配信手段（例えば、認識用辞書送信手段８４によって実現される）とを含むことを特徴とする。
【００１０】
また、音声認識用辞書配信システムにおいて、音声認識システムは、情報読込手段が読み込んだ辞書特定情報を、通信ネットワークを介して音声認識用辞書配信サーバに送信する情報送信手段（例えば、通信部１０７を用いる制御部１０４によって実現される）を含み、辞書抽出手段は、音声認識システムから受信した辞書特定情報に基づいて、認識用辞書を抽出するものであってもよい。
【００１１】
また、音声認識用辞書配信システムにおいて、音声認識用辞書配信サーバは、複数の認識用辞書を辞書特定情報に対応付けて予め蓄積する辞書蓄積手段（例えば、認識用辞書データベース８３によって実現される）を含み、辞書抽出手段は、音声認識システムが情報記憶手段から読み込んだ辞書特定情報に対応する認識用辞書を、辞書蓄積手段から抽出するものであってもよい。
【００１２】
また、音声認識用辞書配信システムにおいて、音声認識システムは、音声を入力する音声入力手段（例えば、操作部１０１によって実現される）と、音声認識用辞書配信サーバから受信した認識用辞書を用いて、音声入力手段が入力した入力音声を音声認識する音声認識手段（例えば、音声認識部１０５によって実現される）とを含み、音声認識手段は、認識用辞書を随時切り替えて用いることによって、入力音声を音声認識するものであってもよい。
【００１３】
また、音声認識用辞書配信システムにおいて、情報読込手段は、情報記憶手段としてＲＦＩＤタグから辞書特定情報を読み込むものであってもよい。
【００１４】
また、音声認識用辞書配信システムにおいて、情報読込手段は、ＲＦＩＤリーダであってもよい。
【００１５】
本発明による音声認識用辞書配信サーバは、音声認識を行う音声認識システムが情報記憶手段から読み込んだ、音声認識に用いる認識用辞書を特定するための辞書特定情報に基づいて、音声認識に用いる認識用辞書を配信する音声認識用辞書配信サーバであって、複数の認識用辞書を辞書特定情報に対応付けて予め蓄積する辞書蓄積手段と、音声認識システムから、通信ネットワークを介して辞書特定情報を受信する情報受信手段（例えば、ＩＤ受信手段８１によって実現される）と、情報受信手段が受信した辞書特定情報に対応する認識用辞書を、辞書蓄積手段から抽出する辞書抽出手段と、辞書抽出手段が抽出した認識用辞書を、通信ネットワークを介して音声認識システムに送信する辞書配信手段とを備えたことを特徴とする。
【００１６】
本発明による音声認識システムは、音声認識に用いる認識用辞書を配信する音声認識用辞書配信システムにおける、音声認識を行う音声認識システムであって、認識用辞書を特定するための辞書特定情報を予め記憶する情報記憶手段から、辞書特定情報を読み込む情報読込手段と、情報読込手段が読み込んだ辞書特定情報を、通信ネットワークを介して、認識用辞書を配信する音声認識用辞書配信サーバに送信する情報送信手段と、音声認識用辞書配信サーバから、通信ネットワークを介して認識用辞書を受信する辞書受信手段（例えば、通信部１０７を用いる制御部１０４によって実現される）と、辞書受信手段が受信した認識用辞書を用いて、入力音声を音声認識する音声認識手段とを備え、音声認識手段は、認識用辞書を随時切り替えて用いることによって、入力音声を音声認識することを特徴とする。
【００１７】
本発明による音声認識用辞書配信方法は、音声認識に用いる認識用辞書を配信する音声認識用辞書配信方法であって、音声認識を行う音声認識システムが、認識用辞書を特定するための辞書特定情報を予め記憶する情報記憶手段から、辞書特定情報を読み込むステップと、音声認識システムが、読み込んだ辞書特定情報を、通信ネットワークを介して、認識用辞書を配信する音声認識用辞書配信サーバに送信するステップと、音声認識用辞書配信サーバが、音声認識システムから、通信ネットワークを介して辞書特定情報を受信するステップと、音声認識用辞書配信サーバが、受信した辞書特定情報に基づいて、認識用辞書を抽出するステップと、音声認識用辞書配信サーバが、抽出した認識用辞書を、通信ネットワークを介して音声認識システムに送信するステップとを含むことを特徴とする。
【００１８】
本発明による音声認識用辞書配信プログラムは、音声認識を行う音声認識システムが情報記憶手段から読み込んだ、認識用辞書を特定するための辞書特定情報に基づいて、音声認識に用いる認識用辞書を配信するための音声認識用辞書配信プログラムであって、複数の認識用辞書を辞書特定情報に対応付けて予め蓄積する辞書蓄積手段を備えたコンピュータに、音声認識システムから、通信ネットワークを介して辞書特定情報を受信する処理と、受信した辞書特定情報に対応する認識用辞書を、辞書蓄積手段から抽出する処理と、抽出した認識用辞書を、通信ネットワークを介して音声認識システムに送信する処理とを実行させることを特徴とする。
【発明の効果】
【００１９】
本発明によれば、音声認識システムが情報記憶手段から辞書特定情報を読み込み、音声認識用辞書配信サーバが辞書特定情報に基づいて認識用辞書を音声認識システムに配信する。従って、複数の音声認識システムを用いる場合であっても、認識用辞書を容易にダウンロードし使用することができる。
【００２０】
また、本発明において、音声認識用辞書配信サーバが辞書蓄積手段を備え、受信した辞書特定情報に対応する認識用辞書を辞書蓄積手段から抽出するように構成すれば、音声認識システムが情報記憶手段から読み込んだ辞書特定情報に対応する認識用辞書を容易に抽出することができる。
【００２１】
また、本発明において、音声認識システムが認識用辞書を随時切り替えて用いることによって入力音声を音声認識する音声認識手段を備えるように構成すれば、音声認識に用いる認識用辞書が複数ある場合であっても、入力音声に含まれる語彙に応じて適切に音声認識を行うことができる。
【００２２】
また、本発明において、情報記憶手段としてＲＦＩＤタグを用いるように構成すれば、複数の音声認識システムを用いる場合であっても、ユーザが情報記憶手段を容易に持ち運びすることができ、いずれかの音声認識システムを用いて認識用辞書をダウンロードして音声認識を行うことができる。
【発明を実施するための最良の形態】
【００２３】
以下、本発明の実施の形態を図面を参照して説明する。図１は、本発明による音声認識用辞書配信システムの構成の一例を示すブロック図である。図１に示すように、音声認識用辞書配信システムは、音声認識システム１００及び辞書配信サーバ１０８を含む。また、音声認識用辞書システムにおいて、音声認識システム１００と辞書配信サーバ１０８とは、インターネット等の通信ネットワーク５００を介して接続される。
【００２４】
本実施の形態において、音声認識用辞書配信システムは、サービス事業者が、音声認識システム１００を用いる作業現場のユーザに、音声認識に用いる認識用辞書を配信するサービスを提供する用途に用いられる。以下、音声認識に用いる認識用辞書を配信するサービスを音声認識用辞書配信サービスともいい、音声認識用辞書配信サービスを提供するサービス事業者を音声認識用辞書配信サービス事業者ともいう。例えば、音声認識用辞書配信システムは、工場や倉庫において検品処理を行うユーザに音声認識用辞書配信サービス事業者が認識用辞書を配信し、ユーザによって入力された音声を音声認識する用途に用いられる。
【００２５】
なお、図１では、１つの音声認識システム１００を示しているが、音声認識用辞書配信システムは、複数の音声認識システム１００を含む。例えば、工場や倉庫等の作業現場において用いる場合、音声認識用辞書配信システムは、作業現場内に複数の音声認識システム１００を含む。
【００２６】
音声認識システム１００は、工場や倉庫等の作業現場において運営される。音声認識システム１００は、具体的には、ワークステーションやパーソナルコンピュータ等の情報処理装置、及びＲＦＩＤリーダやカードリーダ等の情報読取装置によって実現される。本実施の形態において、音声認識システム１００は、辞書配信サーバ１０８から受信した認識用辞書を用いて、ユーザの入力音声を音声認識する機能を備える。なお、本実施の形態において、認識用辞書は、具体的には、単語のつながり方の定義を示す文法情報や各単語の読みを含む辞書である。
【００２７】
音声認識システム１００は、図１に示すように、操作部１０１、情報読込部１０２、出力部１０３、制御部１０４、音声認識部１０５、認識用辞書記憶部１０６及び通信部１０７を含む。
【００２８】
操作部１０１は、具体的には、マイクロフォン等の音声入力装置、及びキーボードやマウス等の入力装置によって実現される。操作部１０１は、ユーザの操作に従って、音声を入力し制御部１０４に出力する機能を備える。また、操作部１０１は、ユーザのキーボードやマウスを用いた操作に従って、各種情報を入力し制御部１０４に出力する機能を備える。
【００２９】
情報読込部１０２は、具体的には、ＲＦＩＤリーダやカードリーダ等の情報読取装置によって実現される。情報読込部１０２は、ユーザの操作に従って、ＲＦＩＤタグやＩＣカード等の情報記憶媒体から情報を読み込み、読み込んだ情報を制御部１０４に出力する機能を備える。
【００３０】
本実施の形態では、音声認識用辞書配信サービスを提供するために、音声認識用辞書配信サービス事業者は、予め各ユーザに辞書タグを発行している。図２は、音声認識用辞書配信サービス事業者が発行する電子タグの一例を示す説明図である。図２に示すように、辞書タグ２０１は、ＲＦＩＤタグ２０２及び辞書内容表示部２０３を含む。辞書内容表示部２０３には、辞書タグ２０１がどのような語彙を認識対象とする認識用辞書を取得するためのタグであるかが記載される。例えば、図２に示すように、辞書内容表示部２０３には、辞書タグ２０１が語彙として１００００語の「姓名」を認識するための認識用辞書を取得するためのタグである旨が記載される。
【００３１】
また、図２に示すように、辞書タグ２０１にはＲＦＩＤタグ２０２が付随している。ＲＦＩＤタグ２０２は、認識対象の語彙の認識用辞書を識別（特定）するための識別情報（以下、認識用辞書ＩＤともいう）を予め記憶する。例えば、ＲＦＩＤタグ２０２は、辞書配信サーバ１０８が蓄積するいずれかの認識用辞書を示すＩＤ番号を予め記憶する。
【００３２】
なお、「辞書タグ２０１に付随する」とは、物品（辞書タグ２０１）に貼り付けられている場合に限らず、表面につけられたり、印刷されていたり、吊り下げられていたり、内蔵されていたりする場合等、物品に付属していることが明らかな状態をいう。また、本実施の形態では、ＲＦＩＤタグ２０２を用いる場合を説明するが、認識用辞書ＩＤを記憶するという同等の機能を有するデバイスであれば、ＲＦＩＤタグ２０２以外の情報記憶媒体を用いてもよい。例えば、辞書タグ２０１は、情報記憶媒体としてＩＣカード等を含んでもよい。
【００３３】
また、図３は、音声認識用辞書配信サービス事業者が発行する電子タグの他の例を示す説明図である。図３に示すように、辞書内容表示部３０３には、辞書タグ３０１がどのような語彙を認識対象とする認識用辞書を取得するためのタグであるかの記載に併記して、入力例が記載されてもよい。例えば、図３に示すように、辞書内容表示部３０３には、辞書タグ３０１が語彙として「駅名」を認識するための認識用辞書を取得するためのタグである旨に併記して、入力例「東京駅から新宿駅まで」が記載されていてもよい。
【００３４】
また、本実施の形態では、ＲＦＩＤタグ２０２，３０２が認識用辞書ＩＤを記憶する場合を説明するが、認識対象語彙自体が小規模である場合（例えば、認識用辞書の容量が小さい場合）、ＲＦＩＤタグ２０２，３０２は、認識用辞書自体を記憶してもよい。
【００３５】
図４は、音声認識システム１００を用いて、各辞書タグから認識用辞書ＩＤを読み取らせる場合の具体例を示す説明図である。各辞書タグから認識用辞書を読み取らせる場合、ユーザは、図４に示すように、各辞書タグ４０１，４０２，４０３，４０４，４０５を、情報読込部１０２であるＲＦＩＤリーダの上にのせる。すると、ＲＦＩＤリーダ１０２は、ユーザの操作に従って、各辞書タグ４０１，４０２，４０３，４０４，４０５からそれぞれ認識用辞書ＩＤを読み込む。そして、ＲＦＩＤリーダ１０２は、読み込んだ各認識用辞書ＩＤを、ワークステーションやパーソナルコンピュータ等の情報処理装置４００に出力する。
【００３６】
出力部１０３は、具体的には、ディスプレイ装置等の表示装置及びスピーカ等の音声出力装置によって実現される。出力部１０３は、制御部１０４の指示に従って、音声認識の認識結果等の情報を表示する機能を備える。また、出力部１０３は、制御部１０４の指示に従って、音声を出力する機能を備える。
【００３７】
制御部１０４は、具体的には、プログラムに従って動作する情報処理装置のＣＰＵによって実現される。制御部１０４は、情報読込部１０２から認識用辞書ＩＤ（電子タグ内の情報）を入力すると、入力した認識用辞書ＩＤを、通信部１０７を用いて、通信ネットワーク５００を介して辞書配信サーバ１０８に送信する機能を備える。また、制御部１０４は、通信部１０７を用いて、辞書配信サーバ１０８から、通信ネットワーク５００を介して認識用辞書を受信する機能を備える。また、制御部１０４は、受信した認識用辞書を音声認識部１０５に送る（出力する）機能を備える。
【００３８】
また、制御部１０４は、キーボードやマウスによって操作部１０１から各種情報を入力すると、入力した情報に応じて各種処理を実行する機能を備える。例えば、制御部１０４は、入力情報に基づいて、音声認識部１０５に音声認識の開始指示や終了指示を行う。また、制御部１０４は、操作部１０１から音声を入力すると、入力した音声を音声認識部１０５に送る（出力する）機能を備える。
【００３９】
音声認識部１０５は、具体的には、プログラムに従って動作する情報処理装置のＣＰＵによって実現される。音声認識部１０５は、制御部１０４から認識用辞書（制御部１０４が辞書配信サーバ１０８から受信した認識用辞書）を入力し、入力した認識用辞書を用いて、入力音声を音声認識する機能を備える。また、音声認識部１０５は、認識用辞書記憶部１０６が予め記憶する認識用辞書を用いて、入力音声を音声認識する機能を備える。また、音声認識部１０５は、音声認識の認識結果を制御部１０４に送る（出力する）機能を備える。
【００４０】
認識用辞書記憶部１０６は、具体的には、磁気ディスク装置等の記憶装置によって実現される。認識用辞書記憶部１０６は、音声認識部１０５が音声認識処理において用いる認識用辞書のうち、汎用性が高く且つ最小限の語彙を含む認識用辞書を予め記憶する。
【００４１】
通信部１０７は、具体的には、情報処理装置のネットワークインタフェース部によって実現される。通信部１０７は、制御部１０４の指示に従って、認識用辞書ＩＤを、インターネット等の通信ネットワーク５００を介して、辞書配信サーバ１０８に送信する機能を備える。また、通信部１０７は、辞書配信サーバ１０８から、通信ネットワーク５００を介して認識用辞書を受信し、制御部１０４に出力する機能を備える。
【００４２】
辞書配信サーバ１０８は、音声認識用辞書配信サービス事業者が運営するサーバである。辞書配信サーバ１０８は、具体的には、ワークステーションやパーソナルコンピュータ等の情報処理装置によって実現される。辞書配信サーバ１０８は、複数の認識用辞書を蓄積し、音声認識システム１００から受信した認識用辞書ＩＤに対応した認識用辞書データを抽出し、音声認識システム１００に配信する機能を備える。
【００４３】
図５は、辞書配信サーバ１０８の構成の一例を示すブロック図である。図５に示すように、辞書配信サーバ１０８は、ＩＤ受信手段８１、認識用辞書抽出手段８２、認識用辞書データベース８３及び認識用辞書送信手段８４を含む。
【００４４】
ＩＤ受信手段８１は、具体的には、プログラムに従って動作する情報処理装置のＣＰＵ及びネットワークインタフェース部によって実現される。ＩＤ受信手段８１は、音声認識システム１００から、通信ネットワーク５００を介して認識用辞書ＩＤを受信する機能を備える。
【００４５】
認識用辞書抽出手段８２は、具体的には、プログラムに従って動作する情報処理装置のＣＰＵによって実現される。認識用辞書抽出手段８２は、ＩＤ受信手段８１が受信した認識用辞書ＩＤに基づいて、認識用辞書データベース８３から認識用辞書を抽出する機能を備える。本実施の形態では、認識用辞書抽出手段８２は、認識用辞書ＩＤをキーとして認識用辞書データベース８３を検索し、認識用辞書ＩＤに対応する認識用辞書を認識用辞書データベース８３から抽出する。
【００４６】
認識用辞書データベース８３は、具体的には、磁気ディスク装置や光ディスク装置等のデータベース装置によって実現される。認識用辞書データベース８３は、複数の認識用辞書を予め蓄積する。本実施の形態では、認識用辞書データベース８３は、各認識用辞書を認識用辞書ＩＤに対応付けて予め記憶する。
【００４７】
認識用辞書送信手段８４は、具体的には、プログラムに従って動作する情報処理装置のＣＰＵ及びネットワークインタフェース部によって実現される。認識用辞書送信手段８４は、認識用辞書抽出手段８２が抽出した認識用辞書を、通信ネットワーク５００を介して音声認識システム１００に送信する機能を備える。
【００４８】
なお、本実施の形態において、辞書配信サーバ１０８の記憶装置は、音声認識に用いる認識用辞書を配信するための各種プログラムを記憶している。例えば、辞書配信サーバ１０８の記憶装置は、コンピュータに、音声認識システムから、通信ネットワークを介して辞書特定情報を受信する処理と、受信した辞書特定情報に対応する認識用辞書を、辞書蓄積手段から抽出する処理と、抽出した認識用辞書を、通信ネットワークを介して音声認識システムに送信する処理とを実行させるための音声認識用辞書配信プログラムを記憶している。
【００４９】
次に、動作について説明する。図６は、辞書配信サーバ１０８が認識用辞書を配信し、音声認識システム１００が認識用辞書を用いて音声認識を行う処理の一例を示す流れ図である。
【００５０】
本実施の形態において、音声認識システム１００を用いるユーザは、音声認識用辞書配信サービスの提供を受けるために、予め音声認識用辞書配信サービス事業者と契約を締結している。また、音声認識用辞書配信サービス事業者は、ユーザが必要とする認識対象語彙用の辞書タグをユーザに発行している（ステップＳ１０１）。例えば、音声認識用辞書配信サービス事業者は、ユーザの必要に応じて、図２に示す「姓名」の音声認識用の辞書タグ２０１、及び図３に示す「駅名」の音声認識用の辞書タグ３０１を、ユーザに発行している。
【００５１】
また、音声認識用辞書配信サービス事業者は、予め各ユーザにユーザＩＤを発行している。この場合、ユーザが複数の音声認識システム１００を用いる場合、音声認識用辞書配信サービス事業者は、音声認識システム１００毎にユーザＩＤを発行している。また、各音声認識システム１００は、予め辞書配信サーバ１０８から通信ネットワーク５００を介してユーザＩＤを受信し、磁気ディスク装置等の記憶装置に記憶している。
【００５２】
ユーザは、工場や倉庫等の作業現場の複数の音声認識システムのうち、いずれかの音声認識システム１００を用いて音声入力を行う場合、音声認識システム１００の情報読込部１０２を操作して辞書タグ２０１，３０１の読み取り操作を行う。情報読込部１０２は、ユーザの指示操作に従って、辞書タグ２０１，３０１のＲＦＩＤタグ２０２，３０２から認識用辞書ＩＤを読み込む（ステップＳ１０２）。
【００５３】
制御部１０４は、情報読込部１０２が読み込んだ認識用辞書ＩＤを、通信ネットワーク５００を介して辞書配信サーバ１０８に送信する（ステップＳ１０３）。この場合、制御部１０４は、認識用辞書ＩＤとともに、ユーザＩＤを、通信ネットワーク５００を介して辞書配信サーバ１０８に送信する。なお、情報読込部１０２が複数の認識用辞書ＩＤを読み込んだ場合、制御部１０４は、複数の認識用辞書ＩＤを辞書配信サーバ１０８に送信する。
【００５４】
辞書配信サーバ１０８のＩＤ受信手段８１は、音声認識システム１００から、通信ネットワーク５００を介して、認識用辞書ＩＤ及びユーザＩＤを受信する。すると、認識用辞書抽出手段８２は、ＩＤ受信手段８１が受信した認識用辞書ＩＤをキーとして認識用辞書データベース８３を検索し、認識用辞書ＩＤに対応する認識用辞書を認識用辞書データベース８３から抽出する（ステップＳ１０４）。なお、ＩＤ受信手段８１が複数の認識用辞書ＩＤを受信した場合、認識用辞書抽出手段８２は、各認識用辞書ＩＤに基づいて、対応する認識用辞書を認識用辞書データベース８３から全て抽出する。
【００５５】
本実施の形態では、ＩＤ受信手段８１は、２つの辞書タグ２０１，３０１から読み込んだ認識用辞書ＩＤを、音声認識システム１００から受信している。認識用辞書抽出手段８２は、音声認識システム１００が辞書タグ２０１から読み込んだ認識用辞書ＩＤに基づいて、１０００語の「姓名」の語彙を含む認識用辞書を認識用辞書データベース８３から抽出する。また、認識用辞書抽出手段８２は、音声認識システム１００が辞書タグ３０１から読み込んだ認識用辞書ＩＤに基づいて、「駅名」の語彙を含む認識用辞書を認識用辞書データベース８３から抽出する。
【００５６】
認識用辞書送信手段８４は、認識用辞書抽出手段８２が抽出した認識用辞書を、通信ネットワーク５００を介して音声認識システム１００に送信する（ステップＳ１０５）。この場合、認識用辞書送信手段８４は、ＩＤ受信手段８１が認識用辞書ＩＤとともに受信したユーザＩＤに基づいて、送信先の音声認識システム１００を特定し、特定した音声認識システム１００に認識用辞書を送信する。
【００５７】
例えば、辞書配信サーバ１０８は、予め各音声認識システム１００のアドレス情報をユーザＩＤに対応付けてデータベースに記憶しており、受信したユーザＩＤに対応するアドレス情報をデータベースから抽出する。そして、認識用辞書送信手段８４は、抽出したアドレス情報に従って、認識用辞書を音声認識システム１００に送信する。
【００５８】
音声認識システム１００の制御部１０４は、辞書配信サーバ１０８から、通信ネットワーク５００を介して認識用辞書を受信する（ステップＳ１０６）。そして、制御部１０４は、受信した認識用辞書を音声認識部１０５に出力する。すると、音声認識部１０５は、制御部１０４から認識用辞書を読み込み（ステップＳ１０７）、音声認識処理を実行可能な状態に移行する。この場合、例えば、制御部１０４は、音声認識処理を実行可能な状態になった旨を出力部１０３に表示させる。
【００５９】
ユーザは、音声認識システム１００が音声認識可能な状態になったことを確認すると、音声認識システム１００の操作部１０１を操作して、音声の入力操作を行う。操作部１０１は、ユーザの指示操作に従って音声を入力し（ステップＳ１０８）、入力音声を制御部１０４に出力する。また、制御部１０４は、操作部１０１からの入力音声を音声認識部１０５に出力する。
【００６０】
音声認識部１０５は、制御部１０４からの入力音声を、ステップＳ１０７で読み込んだ認識用辞書を用いて音声認識処理する（ステップＳ１０９）。本実施の形態では、音声認識部１０５は、読み込んだ「姓名」の語彙の認識用辞書及び「駅名」の語彙の認識用辞書を用いて、入力音声を音声認識する。なお、音声認識部１０５は、汎用的に用いられる語彙を含む入力音声の場合、認識用辞書記憶部１０６が記憶する認識用辞書を併用して用いて、入力音声を音声認識する。
【００６１】
また、ステップＳ１０９において、音声認識部１０５は、各認識用辞書を随時切り替えて用いることによって、制御部１０４からの入力音声を音声認識する。例えば、入力音声が姓名を含む音声である場合、音声認識部１０５は、辞書配信サーバ１０８から受信した姓名の音声認識用の認識用辞書に切り替えて、入力音声を音声認識する。また、例えば、入力音声が駅名を含む音声である場合、音声認識部１０５は、辞書配信サーバ１０８から受信した駅名の音声認識用の認識用辞書に切り替えて、入力音声を音声認識する。
【００６２】
音声認識部１０５は、音声認識処理を行うと、音声認識の認識結果を制御部１０４に出力する。すると、制御部１０４は、音声認識の認識結果を出力部１０３に表示させる。
【００６３】
以上のように、本実施の形態によれば、音声認識システム１００は、辞書タグ２０１，３０１が含むＲＦＩＤタグ２０２，３０２から認識用辞書ＩＤを読み込み、辞書配信サーバ１０８に送信する。そして、辞書配信サーバ１０８は、認識用辞書ＩＤに基づいて認識用辞書を音声認識システムに配信する。そのため、ユーザがＲＦＩＤタグ２０２，３０２から認識用辞書ＩＤの読み取り操作さえ行えば、容易に認識用辞書をダウンロードすることができる。特に複数の音声認識システム１００を用いる場合であっても、辞書タグ２０１，３０１さえ持ち歩けば、いずれかの音声認識システム１００を用いて認識用辞書をダウンロードして音声認識を行うことができる。従って、複数の音声認識システムを用いる場合であっても、認識用辞書を容易にダウンロードし使用することができる。
【産業上の利用可能性】
【００６４】
本発明は、工場や倉庫等の検品処理等を行う作業現場において、音声認識システムを用いて、作業員が音声入力を行って作業を行う用途に適用できる。
【図面の簡単な説明】
【００６５】
【図１】本発明による音声認識用辞書配信システムの構成の一例を示すブロック図である。
【図２】音声認識用辞書配信サービス事業者が発行する電子タグの一例を示す説明図である。
【図３】音声認識用辞書配信サービス事業者が発行する電子タグの他の例を示す説明図である。
【図４】音声認識システム１００を用いて、各辞書タグから認識用辞書ＩＤを読み取らせる場合の具体例を示す説明図である。
【図５】辞書配信サーバ１０８の構成の一例を示すブロック図である。
【図６】辞書配信サーバ１０８が認識用辞書を配信し、音声認識システム１００が認識用辞書を用いて音声認識を行う処理の一例を示す流れ図である。
【符号の説明】
【００６６】
８１  ＩＤ受信手段
８２  認識用辞書抽出手段
８３  認識用辞書データベース
８４  認識用辞書送信手段
１００  音声認識システム
１０１  操作部
１０２  情報読込部
１０３  出力部
１０４  制御部
１０５  音声認識部
１０６  認識用辞書記憶部
１０７  通信部
１０８  辞書配信サーバ
２０１，３０１，４０１，４０２，４０３，４０４，４０５  辞書タグ
２０２，３０２  ＲＦＩＤタグ
２０３，３０３  辞書内容表示部
４００  情報処理装置
５００  通信ネットワーク
【図１】
2006276460.tif 000003
【図２】
2006276460.tif 000004
【図３】
2006276460.tif 000005
【図４】
2006276460.tif 000006
【図５】
2006276460.tif 000007
【図６】
2006276460.tif 000008